(57)【特許請求の範囲】
【請求項１】
半分のカプセルを構成する超音波振動子と他の半分を構成する合成樹脂とで構成されたカプセルと、該カプセル内に装着され、前記超音波振動子に２０ｋＨｚから１００ＭＨｚの周波数で、前記超音波振動子の振動面から音圧が１平方センチメートル当り０．５ｍＷから０．５Ｗの出力を発生する発振出力を印加する発振回路と、前記カプセル内に装着され、前記発振回路に電力を供給する電源とからなり、前記カプセルを身体に埋め込み、前記カプセルから超音波を照射して癌を治療するように構成することを特徴とする癌治療装置。
【請求項２】
前記カプセルは半分のカプセルを構成する２つの超音波振動子で構成することを特徴とする請求項１記載の癌治療装置。
【請求項３】
合成樹脂で構成されるカプセルと、該合成樹脂のカプセルの内面に対向して装着された超音波振動子と、前記合成樹脂のカプセル内に装着され、前記超音波振動子に２０ｋＨｚから１００ＭＨｚの周波数で、前記超音波振動子の振動面から音圧が１平方センチメートル当り０．５ｍＷから０．５Ｗの出力を発生する発振出力を印加する発振回路と、前記合成樹脂のカプセル内に装着され、前記発振回路に電力を供給する電源とからなり、前記合成樹脂のカプセルを身体に埋め込み、前記合成樹脂のカプセルから超音波を照射して癌を治療するように構成することを特徴とする癌治療装置。
【発明の詳細な説明】
【０００１】
【産業上の利用分野】
本発明は、微弱な超音波を癌患部に向けて放射することより、患部の癌を効果的に消去するようにした癌治療装置に関するものである。
【０００２】
【従来の技術】
従来、超音波による癌治療方法として、摂氏３７度から４３度の温度において、１平方センチメートル当たり２Ｗ以上の強力な超音波を３０分間照射して癌細胞の増殖を押さえるようにした論文が発表されている（Ｎａｔｕｒｅ  Ｖｏｌ．  ２６７  １２  Ｍａｙ
１９７７参照）。
【０００３】
ところで、一般に、癌細胞は熱に弱いことが知られているから、このような癌治療方法は、患部の加熱を超音波で補助することによって癌の増殖を抑えているものである。
【０００４】
【発明が解決しようとする課題】
しかしながら、このような癌治療方法では、常に患部を加熱するか、身体全体を加熱しなければならず、従って、装置が複雑になり、コストも高くなるという問題があり、又、長時間照射に際しては、正常細胞に対しても有害な作用を及ぼす恐れがあった。
【０００５】
【課題を解決するための手段】
本発明は、半分のカプセルを構成する超音波振動子と他の半分を構成する合成樹脂とで構成されたカプセルと、該カプセル内に装着され、前記超音波振動子に２０ｋＨｚから１００ＭＨｚの周波数で、前記超音波振動子の振動面から音圧が１平方センチメートル当り０．５ｍＷから０．５Ｗの出力を発生する発振出力を印加する発振回路と、前記カプセル内に装着され、前記発振回路に電力を供給する電源とからなり、前記カプセルを身体に埋め込み、前記カプセルから超音波を照射して癌を治療するように構成するものであり、前記カプセルは半分のカプセルを構成する２つの超音波振動子で構成するものであり、さらに、合成樹脂で構成されるカプセルと、該合成樹脂のカプセルの内面に対向して装着された超音波振動子と、前記合成樹脂のカプセル内に装着され、前記超音波振動子に２０ｋＨｚから１００ＭＨｚの周波数で、前記超音波振動子の振動面から音圧が１平方センチメートル当り０．５ｍＷから０．５Ｗの出力を発生する発振出力を印加する発振回路と、前記合成樹脂のカプセル内に装着され、前記発振回路に電力を供給する電源とからなり、前記合成樹脂のカプセルを身体に埋め込み、前記合成樹脂のカプセルから超音波を照射して癌を治療するように構成するものである。
【０００６】
【作用】
本発明では、  半分のカプセルを構成する超音波振動子と他の半分を構成する合成樹脂又は半分のカプセルを構成する２つの超音波振動子とで構成されたカプセル内に発振回路と電源を装着し、又は合成樹脂で構成されるカプセル内に超音波振動子と発振回路及び電源を装着し、発振回路から超音波振動子に周波数が２０ｋＨｚから１００ＭＨｚで、超音波振動子から音圧が１平方センチメートル当り０．５ｍＷから０．５Ｗの微弱な超音波が発生するの発振出力を印加し、又、電源から発振回路に電力を供給し、このように構成したカプセルを体内に埋め込んで、比較的長時間癌細胞に微弱な超音波を作用させると、癌細胞は微弱な超音波振動により増殖が抑えられ、癌細胞周辺の正常の細胞は活性化される。
【０００７】
従って、超音波が照射された患部は癌細胞が徐々に減少すると共に周辺の正常な細胞が増加するようになる。
【０００８】
【実施例】
本発明者等は、ＳＶ４０ウィルス遺伝子により人為的に癌化されたヒトの眼の色素上皮細胞を２分して同一条件で増殖し、一方の癌化された細胞に微弱な超音波の連続波を続けて照射し、他方の癌化された細胞に超音波を照射しないでそのまま増殖させた所、超音波を照射しない癌化された細胞の増殖の数は図１の点線Ａに示すように増加したのに対して、超音波を照射した癌化された細胞の数は図１の実線Ｂで示すように２日目で１５％増殖が抑えられ、４日目で１８％、８日目で３１％も癌細胞の増殖が減少した。
【０００９】
さらに、比較実験に用いたニワトリ胚の眼の色素上皮細胞の正常な細胞が超音波により活性化されて増加していることを発見した。
【００１０】
これは、微弱な超音波を癌化された細胞に照射することによって、癌細胞の増殖は抑えられるが、正常細胞はそれ自体が活性化されるものであると考えられる。
【００１１】
そこで、癌細胞に対して有効な超音波の条件を得るために、周波数及び音圧の異なった超音波を癌細胞に照射した所、音圧が１平方センチメートル当り０．５ｍＷから０．５Ｗで、周波数が２０ｋＨｚから１００ＭＨｚの超音波が非常に有効に癌細胞に作用し、又正常細胞の活性化が著しいことが分かつた。
【００１２】
図２は、本発明の他の実施例の癌治療装置の構成図で、電源として設けられた電池９に発振回路１０が接続され、この電池９と発振回路１０は偏平なカプセルの半分を構成する超音波振動子１１と偏平なカプセルの他の半分を構成する合成樹脂製のカプセル１２が接合部で接着剤により接着されたカプセル１３内に装着され、発振回路１０から周波数が２０ｋＨｚから１００ＭＨｚで、超音波振動子１１から音圧が１平方センチメートル当り０．５ｍＷから０．５Ｗの超音波が発生する発振出力がカプセルの半分を構成する超音波振動子１１に印加され、又、電池９から発振回路１０に電力が印加され、又、カプセル１３は必要に応じて生体との整合性の良い材料で表面を被覆されている。
【００１３】
このように構成された本実施例カプセル型癌治療装置では、発振回路１０を作動させて超音波振動子１１が患部に向くようにカプセル１３を患者に埋め込むと、超音波振動子１１より患部に周波数が２０ｋＨｚから１００ＭＨｚの発振出力で音圧が１平方センチメートル当り０．５ｍＷから０．５Ｗの超音波が照射され、患部の癌細胞の増殖を抑えることができ、又、カプセルは超小型にできるので、皮膚表面を穿孔手術するだけで、体内に簡単に埋め込むことができ、手術が簡単で患者に負担をかけない。
【００１４】
なお、図２の実施例では、半分のカプセル１２を合成樹脂で構成したが、このカプセル１２も超音波振動子で構成しても良い。
【００１５】
図３は、本発明の他の実施例の癌治療装置の構成図で、合成樹脂のカプセル１４の内面に超音波振動子１５、１６が対向する位置に固着され、又、合成樹脂のカプセル１４内に電源１７及び発振回路１８が装着され、発振回路１８の出力は超音波振動子１５、１６に接続され、発振回路１０から周波数が２０ｋＨｚから１００ＭＨｚで、超音波振動子１５、１６から音圧が１平方センチメートル当り０．５ｍＷから０．５Ｗの超音波が発生するの発振出力が超音波振動子１５、１６に印加され、又、電池９から発振回路１０に電力が印加するように構成されている。
【００２８】
このように構成した本実施例でも、上記図２の実施例と同様の効果を有し、又、図３の実施例では、２つの超音波振動子１５、１６を対向して設けたが、他の部分からも超音波が発生するように、超音波振動子を２つ以上設けても良い。
【００２９】
【発明の効果】
以上説明したように、本発明では、患者の癌細胞に向けて微弱な超音波を長時間照射することにより、癌細胞癌の増殖が確実に抑えられ、患部近傍の正常な細胞が活性化されるという利点がある。
【図面の簡単な説明】
【図１】本発明の方法を説明するために、超音波を照射した癌細胞と照射しない癌細胞の増殖を比較した図である。
【図２】本発明の実施例の癌治療装置の構成図である。
【図３】本発明の他の実施例の癌治療装置の構成図である。
【符号の説明】
９            電池
１０          発信器
１１          カプセル状超音波振動子
１２          合成樹脂製のカプセル
１３          カプセル
１４          合成樹脂のカプセル
１５、１６    超音波振動子
１７          電源
１８          発振回路
【図１】
0003582796.tif 000002
【図２】
0003582796.tif 000003
【図３】
0003582796.tif 000004
【図４】
0003582796.tif 000005
【図５】
0003582796.tif 000006
【図６】
0003582796.tif 000007
【図７】
0003582796.tif 000008
【図８】
0003582796.tif 000009